(57)【特許請求の範囲】
【請求項１】
記録媒体に記録を行うプリンタを備えたプリンタ付き携帯端末装置であって、
筐体と、
この筐体の前面部分に設けられた表示パネルと、
この表示パネルに沿うようにその裏側に配置された平板状をなすプリンタヘッド、このプリンタヘッドとの間に前記記録媒体を挟み込むプラテンローラ、このプラテンローラを前記表示パネルに沿う方向で着脱可能に保持するプラテンホルダ、および前記プラテンローラを回転駆動する駆動モータを有する前記プリンタと、
前記筐体に設けられて、前記プリンタヘッドを挟んで前記表示パネルと相反する側に前記記録媒体を収容する記録媒体収容部と、
前記プラテンローラを保持するとともに、前記記録媒体収容部に前記記録媒体を収容するための開口を閉鎖するプリンタカバーと、
前記プラテンホルダから前記プラテンローラを離脱させる方向にスライド可能に、かつ、前記開口を開放する方向に回転可能に、前記プリンタカバーを前記筐体に対して連結するヒンジ部と、を備え、
前記プリンタカバーには、前記筐体に形成された凹部に前記プリンタカバーのスライド方向に嵌合することで、全閉状態における前記プリンタカバーの回転を規制する突片部が形成されたことを特徴とするプリンタ付き携帯端末装置。
【請求項２】
前記プリンタカバーの側縁部と、これに当接する前記開口の側縁部とが、背面視で前記プリンタカバーのスライド方向に真直に形成されるとともに、
全閉状態から所定のスライド範囲において前記プリンタカバーの回転を規制する回転規制部が設けられたことを特徴とする請求項１に記載のプリンタ付き携帯端末装置。
【請求項３】
前記プラテンローラの回転軸に、前記駆動モータの駆動力を伝達するギアが設けられ、  前記突片部は、前記ギアを覆うように設けられたことを特徴とする請求項１に記載のプリンタ付き携帯端末装置。
【請求項４】
前記ヒンジ部は、前記プリンタカバーに形成された軸部と、前記筐体に形成されたガイド孔と、で構成され、前記ガイド孔に、前記プリンタカバーのスライド方向に移動可能に前記軸部が嵌合することを特徴とする請求項１から請求項３のいずれかに記載のプリンタ付き携帯端末装置。
【請求項５】
前記プリンタカバーには、前記軸部とともに前記ガイド孔内に突出して、前記ガイド孔の内周面に当接することで、全閉状態から所定のスライド範囲において前記プリンタカバーの回転を規制するリブが形成されたことを特徴とする請求項４に記載のプリンタ付き携帯端末装置。
【請求項６】
前記筐体には、前記リブが突き当たることで、全開状態における前記プリンタカバーのスライドを規制する規制面が形成されたことを特徴とする請求項５に記載のプリンタ付き携帯端末装置。
【請求項７】
前記筐体には、前記ガイド孔の内周面から突出して、前記プリンタカバーを回転可能とする位置に前記軸部を保持するリブが形成されたことを特徴とする請求項４から請求項６のいずれかに記載のプリンタ付き携帯端末装置。
【請求項８】
前記プリンタカバーの全閉状態において、前記ヒンジ部の近傍における前記プリンタカバーの縁部と、前記筐体における前記開口の縁部とを、前記筐体に対する前記プリンタカバーの厚さ方向の動きを規制するように、凹凸の断面形状で嵌合させたことを特徴とする請求項１から請求項７のいずれかに記載のプリンタ付き携帯端末装置。
【発明の詳細な説明】
【技術分野】
【０００１】
本発明は、記録媒体への記録を行うプリンタを備えたプリンタ付き携帯端末装置に関するものである。
【背景技術】
【０００２】
クレジットカードやデビットカードなどによるキャッシュレスでの決済に用いられる携帯端末装置、いわゆるモバイル決済端末では、取引の内容を記録紙に印字するプリンタを備えたものが広く利用されている。
【０００３】
このようなプリンタを備えた携帯端末装置として、従来、操作キー、表示パネル、プリンタ、およびロール紙を縦方向に並べて配置した構成のものが知られている（特許文献１，２参照）。
【先行技術文献】
【特許文献】
【０００４】
【特許文献１】特開２００４−１１４６４０号公報
【特許文献２】特開２０１０−０６４３２３号公報
【発明の概要】
【発明が解決しようとする課題】
【０００５】
さて、携帯端末装置をシンクライアントとして構成し、主要な処理をサーバに実施させて、携帯端末装置では、主にユーザインタフェイスおよびカードの読み取りに関する処理を行わせるようにすると、セキュリティの向上や、携帯端末装置の製造コストの低減を図ることができる。そして、シンクライアントとしての利点を活かすには、表示パネルをタッチパネルディスプレイで構成することが望まれ、特に操作性を向上するため、表示パネルを大型化することが望まれる。
【０００６】
しかしながら、前記従来の技術では、操作キー、表示パネル、プリンタ、ロール紙が縦方向に並べて配置されているため、表示パネルが大型化すると、携帯端末装置の縦方向の寸法が大幅に増大して、携帯性が低下するという問題があった。
【０００７】
そこで、大型化した表示パネルの裏側にプリンタおよびロール紙を配置することが考えられる。ところが、このような構成では、筐体の厚みが増大して、携帯性を十分に高めることができないという問題が生じる。
【０００８】
特に、前記従来の技術と同様に、記録紙に印字を行うプリンタヘッドとの間に記録紙を挟み込むプラテンローラをプリンタカバーに装着して、プリンタカバーを回転させて開くことで、プラテンローラがプリンタヘッドから離れる構造とすると、記録紙の取り付けや紙ジャム（紙詰まり）の対応が容易になることから、望ましい。
【０００９】
ところが、このような構成では、プリンタのフレーム側に設けられたプラテンホルダに対するプラテンローラの着脱方向により、プリンタカバーを筐体に回転可能に連結するヒンジ部の位置が制約を受け、プリンタ自体の厚さを縮小するために、プラテンローラが表示パネルに沿う方向で着脱する構成とすると、プリンタカバーを支障なく開閉させるには、プラテンホルダに保持されたプラテンローラの初期位置から筐体の厚さ方向に大きく離れた位置にヒンジ部を配置する必要があり、筐体の厚みが増大するという問題が生じる。
【００１０】
本発明は、このような従来技術の問題点を解消するべく案出されたものであり、その主な目的は、表示パネルの裏側にプリンタおよびロール紙を配置した構成で、筐体の厚みの増大を抑えることができるように構成されたプリンタ付き携帯端末装置を提供することにある。
【課題を解決するための手段】
【００１１】
本発明のプリンタ付き携帯端末装置は、記録媒体に記録を行うプリンタを備えたプリンタ付き携帯端末装置であって、筐体と、この筐体の前面部分に設けられた表示パネルと、この表示パネルに沿うようにその裏側に配置された平板状をなすプリンタヘッド、このプリンタヘッドとの間に前記記録媒体を挟み込むプラテンローラ、このプラテンローラを前記表示パネルに沿う方向で着脱可能に保持するプラテンホルダ、および前記プラテンローラを回転駆動する駆動モータを有する前記プリンタと、前記筐体に設けられて、前記プリンタヘッドを挟んで前記表示パネルと相反する側に前記記録媒体を収容する記録媒体収容部と、前記プラテンローラを保持するとともに、前記記録媒体収容部に前記記録媒体を収容するための開口を閉鎖するプリンタカバーと、前記プラテンホルダから前記プラテンローラを離脱させる方向にスライド可能に、かつ、前記開口を開放する方向に回転可能に、前記プリンタカバーを前記筐体に対して連結するヒンジ部と、を備え、前記プリンタカバーには、前記筐体に形成された凹部に前記プリンタカバーのスライド方向に嵌合することで、全閉状態における前記プリンタカバーの回転を規制する突片部が形成された構成とする。
【発明の効果】
【００１２】
本発明によれば、表示パネルの裏側にプリンタおよび記録媒体が配置されるため、携帯端末装置の全長を短くすることができる。また、表示パネルに沿うようにプリンタヘッドを配置するとともに、プラテンローラを表示パネルに沿う方向で着脱可能にプラテンホルダに保持させることで、筐体の厚さ方向の寸法を小さく抑えた状態でプリンタを配置することができる。そして、プリンタカバーを開く際に、表示パネルに沿う方向にプリンタカバーをスライドさせて、プラテンローラをプラテンホルダから離脱させた状態で、プリンタカバーを回転させる構成とすることで、プラテンホルダに保持されたプラテンローラの初期位置から筐体の厚さ方向に大きく離れた位置にヒンジ部を配置しなくても、プリンタカバーを支障なく開閉することができるようになるため、筐体の厚みの増大を抑えることができる。
【図面の簡単な説明】
【００１３】
【図１】本実施形態に係る携帯端末装置１を示す斜視図
【図２】携帯端末装置１の背面図
【図３】携帯端末装置１の断面図
【図４】携帯端末装置１の要部断面図
【図５】プリンタカバー７の全開状態を示す携帯端末装置１の要部斜視図
【図６】プリンタカバー７の要部斜視図
【図７】筐体２の要部斜視図
【図８】プリンタカバー７の開閉時の状態遷移を示す携帯端末装置１の要部側面図
【図９】プリンタカバー７の開閉状態に応じたヒンジ部の状態遷移の状況を示す断面図
【図１０】プラテンローラ３２の保持構造を示す携帯端末装置１の要部断面図
【発明を実施するための形態】
【００１４】
前記課題を解決するためになされた第１の発明は、記録媒体に記録を行うプリンタを備えたプリンタ付き携帯端末装置であって、筐体と、この筐体の前面部分に設けられた表示パネルと、この表示パネルに沿うようにその裏側に配置された平板状をなすプリンタヘッド、このプリンタヘッドとの間に前記記録媒体を挟み込むプラテンローラ、このプラテンローラを前記表示パネルに沿う方向で着脱可能に保持するプラテンホルダ、および前記プラテンローラを回転駆動する駆動モータを有する前記プリンタと、前記筐体に設けられて、前記プリンタヘッドを挟んで前記表示パネルと相反する側に前記記録媒体を収容する記録媒体収容部と、前記プラテンローラを保持するとともに、前記記録媒体収容部に前記記録媒体を収容するための開口を閉鎖するプリンタカバーと、前記プラテンホルダから前記プラテンローラを離脱させる方向にスライド可能に、かつ、前記開口を開放する方向に回転可能に、前記プリンタカバーを前記筐体に対して連結するヒンジ部と、を備えた構成とする。
【００１５】
これによると、表示パネルの裏側にプリンタおよび記録媒体が配置されるため、携帯端末装置の全長を短くすることができる。また、表示パネルに沿うようにプリンタヘッドを配置するとともに、プラテンローラを表示パネルに沿う方向で着脱可能にプラテンホルダに保持させることで、筐体の厚さ方向の寸法を小さく抑えた状態でプリンタを配置することができる。そして、プリンタカバーを開く際に、表示パネルに沿う方向にプリンタカバーをスライドさせて、プラテンローラをプラテンホルダから離脱させた状態で、プリンタカバーを回転させる構成とすることで、プラテンホルダに保持されたプラテンローラの初期位置から筐体の厚さ方向に大きく離れた位置にヒンジ部を配置しなくても、プリンタカバーを支障なく開閉することができるようになるため、筐体の厚みの増大を抑えることができる。
【００１６】
また、第２の発明は、前記プリンタカバーの側縁部と、これに当接する前記開口の側縁部とが、背面視で前記プリンタカバーのスライド方向に真直に形成されるとともに、全閉状態から所定のスライド範囲において前記プリンタカバーの回転を規制する回転規制部が設けられた構成とする。
【００１７】
これによると、プリンタカバーの側縁部と開口の側縁部とが背面視でスライド方向に真直に形成され、かつ、全閉状態から所定のスライド範囲においてプリンタカバーの回転が規制されるため、スライド動作時のプリンタカバーのがたつきを抑制することができ、これにより、操作者によるプリンタカバーのスライド操作を円滑に行わせることができる。
【００１８】
また、第３の発明は、前記プリンタカバーには、前記筐体に形成された凹部に前記プリンタカバーのスライド方向に嵌合することで、全閉状態における前記プリンタカバーの回転を規制する突片部が形成された構成とする。
【００１９】
これによると、全閉状態において操作者が誤ってプリンタカバーを回転させようとしても、プリンタカバーの回転が規制されるため、誤操作による部品の破損を避けることができる。
【００２０】
また、第４の発明は、前記プラテンローラの回転軸に、前記駆動モータの駆動力を伝達するギアが設けられ、前記突片部は、前記ギアを覆うように設けられた構成とする。
【００２１】
これによると、突片部によりギアが保護され、プリンタカバーを開閉操作する際に操作者の指がギアに当たることでギアが破損することを避けることができる。
【００２２】
また、第５の発明は、前記ヒンジ部は、前記プリンタカバーに形成された軸部と、前記筐体に形成されたガイド孔と、で構成され、前記ガイド孔に、前記プリンタカバーのスライド方向に移動可能に前記軸部が嵌合する構成とする。
【００２３】
これによると、プリンタカバーのスライド動作および回転動作を単純な構造で実現することができる。
【００２４】
また、第６の発明は、前記プリンタカバーには、前記軸部とともに前記ガイド孔内に突出して、前記ガイド孔の内周面に当接することで、全閉状態から所定のスライド範囲において前記プリンタカバーの回転を規制するリブが形成された構成とする。
【００２５】
これによると、全閉状態から所定のスライド範囲においてプリンタカバーの回転が規制されるため、スライド動作時のプリンタカバーのがたつきを抑制することができ、これにより、操作者によるプリンタカバーのスライド操作を円滑に行わせることができる。
【００２６】
また、第７の発明は、前記筐体には、前記リブが突き当たることで、全開状態における前記プリンタカバーのスライドを規制する規制面が形成された構成とする。
【００２７】
これによると、全開状態において操作者が誤ってプリンタカバーをスライドさせようとしても、プリンタカバーのスライドが規制されるため、誤操作による部品の破損を避けることができる。
【００２８】
また、第８の発明は、前記筐体には、前記ガイド孔の内周面から突出して、前記プリンタカバーを回転可能とする位置に前記軸部を保持するリブが形成された構成とする。
【００２９】
これによると、プリンタカバーの軸部がリブにより保持されるため、プリンタカバーが回転する際のプリンタカバーのがたつきを抑制することができ、これにより、操作者によるプリンタカバーの回転操作を円滑に行わせることができる。また、プリンタカバーの軸部がリブを乗り上げる際に操作者にクリック感を与えることができるため、プリンタカバーを回転可能とする位置、すなわち、全閉状態からスライドさせた際のスライド方向の終点位置にプリンタカバーが到達したことを操作者が確認することができる。
【００３０】
また、第９の発明は、前記プリンタカバーの全閉状態において、前記ヒンジ部の近傍における前記プリンタカバーの縁部と、前記筐体における前記開口の縁部とを、前記筐体に対する前記プリンタカバーの厚さ方向の動きを規制するように、凹凸の断面形状で嵌合させた構成とする。
【００３１】
これによると、操作者によるプリンタカバーのスライド動作を円滑に行わせるために、ヒンジ部に比較的大きな遊びを持たせた場合でも、全閉状態において筐体に対するプリンタカバーの動きが規制されるため、全閉状態におけるプリンタカバーのがたつきを抑制することができる。
【００３２】
以下、本発明の実施の形態を、図面を参照しながら説明する。なお、本実施形態では、携帯端末装置の表側を正面にしてユーザが把持した使用状態における縦方向、横方向および厚さ方向（奥行き方向）をそれぞれ、上下方向、左右方向および前後方向として、携帯端末装置の各部の位置関係を、適宜に上下、左右および前後の用語で説明するが、これは、携帯端末装置の姿勢を変化させることで、実際の上下、左右および前後の位置関係とは異なるものとなる。
【００３３】
図１は、本実施形態に係る携帯端末装置１を示す斜視図である。図２は、図１に示した携帯端末装置１の背面図である。図３は、図１に示した携帯端末装置１の断面図である。
【００３４】
この携帯端末装置１は、接触型ＩＣカード、非接触型ＩＣカード、磁気カードなどを用いて決済を行うモバイル決済端末であり、図１に示すように、筐体２の前面部分に、表示パネル３と、操作キー４と、が設けられている。
【００３５】
表示パネル３は、液晶ディスプレイとタッチパネルとを組み合わせた、いわゆるタッチパネルディスプレイである。操作キー４は、電源キー、決済キー、ファンクションキー、テンキーなどである。また、筐体２の側面部分には、電源プラグおよびメモリカードスロットを覆うカバー５が設けられている。
【００３６】
筐体２の背面側の上部には、記録紙（記録媒体）をロール状に巻いたロール紙ＲＰを内部に収容する記録紙収容部（記録媒体収容部）６が、後方に突き出た状態で形成されている。記録紙は、印字面に感熱発色層が形成された、いわゆる感熱紙である。
【００３７】
図２に示すように、筐体２の背面側には、プリンタカバー７と、カメラ８と、スピーカ９と、バッテリーカバー１０と、接続端子１１と、が設けられている。
【００３８】
プリンタカバー７は、記録紙収容部６にロール紙ＲＰを収容するために記録紙収容部６に設けられた開口１２を閉鎖するものである。カメラ８は、バーコードなどを撮影するものである。スピーカ９は、アラーム音などの音声を出力するものである。接続端子１１は、図示しないクレードルの接続端子に接続されて、充電用の電力を供給するものである。
【００３９】
図３に示すように、筐体２の内部には、プリンタ１５と、ＩＣカードリーダ１６と、磁気カードリーダ１７と、ＮＦＣアンテナ１８と、通信モジュール１９と、制御基板２０，２１，２２と、バッテリー２３と、が設けられている。
【００４０】
プリンタ１５は、感熱方式により記録紙に印字する、いわゆるサーマルプリンタである。携帯端末装置１は、接触型ＩＣカード、非接触型ＩＣカード、磁気カードなどを用いて決済が行われた後、その控票を印字する。その印字を行う際に、携帯端末装置１は、プリンタ１５を用いて、ロール紙ＲＰから引き出された記録紙に控票を印字し排出する。ＩＣカードリーダ１６は、筐体２の下面側に設けられたＩＣカードスロット２６に挿入されたＩＣカードを読み取るものである。磁気カードリーダ１７は、筐体２の下面側に設けられた磁気カードスロット２７に挿入された磁気カードを読み取るものである。ＮＦＣアンテナ１８は、ＮＦＣ（近距離無線通信）により電子マネー機能を備えた非接触型ＩＣカードなどとの間で通信を行うものである。すなわち携帯端末装置１は、可搬可能でありながら、決済機能と控票の印字機能とを有している。このほか、電子マネーの決済機能、ＩＤカードの認証機能などを有してもよい。ＩＤカードの認証機能は、例えば携帯端末装置１の使用者を認証する際に利用されてもよい。通信モジュール１９は、決済処理システムのサーバなどとの間で無線通信を行うものである。制御基板２０，２１，２２は、携帯端末装置１の各部を制御するための各種の電子部品が実装されたものである。バッテリー２３は、携帯端末装置１の各部に給電するものである。
【００４１】
次に、プリンタ１５について説明する。図４は、プリンタ１５を詳しく示す携帯端末装置１の要部断面図である。図５は、プリンタカバー７の全開状態を示す携帯端末装置１の要部斜視図である。
【００４２】
図４に示すように、プリンタ１５は、プリンタヘッド３１と、プラテンローラ３２と、板ばね３３と、駆動モータ３４と、フレーム３５と、を備えている。
【００４３】
プリンタヘッド３１は、基板上に多数の発熱体が配列されたものである。プラテンローラ３２は、プリンタヘッド３１に対向して配置されている。板ばね３３は、プリンタヘッド３１をプラテンローラ３２に押しつけるように付勢する。これにより、プリンタヘッド３１とプラテンローラ３２との間に挟み込まれた記録紙Ｐがプリンタヘッド３１に押しつけられる。
【００４４】
駆動モータ３４は、複数のギアからなる減速機構を介して、プラテンローラ３２を回転駆動する。フレーム３５は、プラテンローラ３２、板ばね３３、および駆動モータ３４を支持し、また、プリンタヘッド３１を前後方向に移動可能に支持する。
【００４５】
プリンタカバー７の上端部と筐体２との間の隙間には排紙口２５が設けられている。
【００４６】
このように構成されたプリンタ１５では、ロール紙ＲＰから引き出された記録紙Ｐが、プリンタヘッド３１とプラテンローラ３２との間に挟み込まれ、駆動モータ３４により駆動されるプラテンローラ３２が回転することで、記録紙Ｐが搬送されながらプリンタヘッド３１により印字されて排紙口２５から排出される。
【００４７】
排紙口２５の近傍には、カッター３８が設けられており、排紙口２５から排出された記録紙Ｐを切り取ることができる。
【００４８】
また、プリンタヘッド３１は、概ね平板状をなし、上下方向に対して僅かに傾斜した状態で配置されている。また、駆動モータ３４は、プリンタヘッド３１の下方に配置されている。このため、プリンタ１５全体の厚みを小さく抑えることができる。そして、プリンタ１５は、表示パネル３に沿って配置されている。このため、筐体２全体の厚みを小さく抑えることができる。
【００４９】
また、記録紙Ｐは、印字面が表向きで携帯端末装置１の上面の排紙口２５から排紙されるが、記録紙Ｐにはカール（巻き癖）がついているため、排紙された記録紙Ｐは、携帯端末装置１の上面から背面側に向けて曲がった状態となり、操作者から記録紙Ｐの印字面が見にくくなるが、携帯端末装置１の姿勢を自由に変えることができるため、特段の支障はない。
【００５０】
図５に示すように、筐体２の記録紙収容部６には、記録紙収容部６にロール紙ＲＰを収容するための開口１２が形成されており、この開口１２を閉鎖するプリンタカバー７は、ヒンジ部４１を介して筐体２に連結されている。
【００５１】
プラテンローラ３２は、プリンタカバー７に保持されている。プラテンローラ３２の回転軸４２には、その左右の両端部を回転可能に支持する左右の軸受け４３と、駆動モータ３４の駆動力を回転軸４２に伝達するギア４４とが連結されている。プリンタカバー７には、プラテンローラ３２の回転軸４２を保持するプラテンローラ保持部４５が左右に１対形成されている。
【００５２】
開口１２は、筐体２の上面から記録紙収容部６の背面に至る範囲に形成されており、ヒンジ部４１を中心にしてプリンタカバー７を回転させることで、記録紙収容部６が大きく開放され、ロール紙ＲＰを収容する操作を容易に行うことができる。また、プリンタカバー７を回転させることで、プラテンローラ３２がプリンタヘッドから離れるため、ロール紙ＲＰの収容や紙ジャム（紙詰まり）の対応が容易になる。
【００５３】
また、記録紙収容部６の側面には、透明窓４６が設けられている。この透明窓４６により、記録紙収容部６内のロール紙ＲＰの残量を確認することができる。
【００５４】
また、記録紙収容部６では、ロール紙ＲＰの中心軸が、左右方向、すなわちプラテンローラ３２の中心軸と平行となるようにロール紙ＲＰが収容される。
【００５５】
次に、ヒンジ部４１について説明する。図６は、プリンタカバー７の要部斜視図である。図７は、筐体２の要部斜視図である。
【００５６】
ヒンジ部４１は、図６に示すように、プリンタカバー７に形成された軸部５１と、図７に示すように、筐体２に形成されたガイド孔５２とで構成され、軸部５１がガイド孔５２に嵌め込まれる。この軸部５１およびガイド孔５２は、プリンタカバー７および筐体２の左右両側に形成されている。
【００５７】
ガイド孔５２は、上下方向に長く形成されており、軸部５１をガイド孔５２に沿って上下方向に移動することができる。これにより、筐体２に対してプリンタカバー７を上下方向にスライドさせることができる。
【００５８】
また、図６に示したように、プリンタカバー７に形成された軸部５１の近傍には、軸部５１の外周面から羽根状に径方向に延びたリブ５３が形成されている。このリブ５３は、図７に示すように、筐体２に形成されたガイド孔５２の内周面に突き当たることで回転が規制される。
【００５９】
また、筐体２に形成されたガイド孔５２の周縁部５４には、その周縁部５４の側面より１段低くなる凹部５５が形成されている。この凹部５５により、リブ５３が回転するスペースが形成され、リブ５３が周縁部５４と干渉することなく、軸部５１を回転させることができる。これにより、筐体２に対してプリンタカバー７を回転させることができる。
【００６０】
次に、プリンタカバー７の開閉動作について説明する。図８は、プリンタカバー７の開閉時の状態遷移を示す携帯端末装置１の要部側面図であり、図８（Ａ）に、プリンタカバー７の全閉状態を示し、図８（Ｂ）に、プリンタカバー７の半開状態を示し、図８（Ｃ）に、プリンタカバー７の全開状態を示す。
【００６１】
このようなヒンジ部４１の構成により、プリンタカバー７を開く際に、図８（Ａ）に示す全閉状態からプリンタカバー７を上方にスライドさせることができる。これにより、図８（Ｂ）に示すように、プリンタカバー７が半開状態となる。そして、この半開状態からプリンタカバー７を回転させることができる。これにより、図８（Ｃ）に示すように、プリンタカバー７が全開状態となる。また、この逆にプリンタカバー７を閉じる際にも、プリンタカバー７の回転動作とスライド動作が可能である。
【００６２】
このように本実施形態では、プリンタカバー７を開く際に、プリンタカバー７をスライドさせた上で回転させることができる。このため、図４に示したように、ロール紙ＲＰとプリンタヘッド３１との間に配置されたプラテンローラ３２がロール紙ＲＰと干渉することなくプリンタカバー７を開くことができる。
【００６３】
次に、スライド動作中におけるプリンタカバー７のがたつきを抑制する構造について説明する。図９は、プリンタカバー７の開閉状態に応じたヒンジ部の状態遷移の状況を示す断面図である。
【００６４】
図８（Ａ）に示したプリンタカバー７の全閉状態では、図９（Ａ）に示すように、リブ（回転規制部）５３がプリンタカバー７のスライド方向に延びた状態となっている。ここで、プリンタカバー７を回転させようとすると、リブ５３が筐体２のガイド孔５２の内周面に突き当たり、リブ５３の回転が規制される。このため、プリンタカバー７の全閉状態では、プリンタカバー７を回転させることができない。
【００６５】
また、図８（Ａ）に示したプリンタカバー７の全閉状態からから所定のスライド範囲においても、同様に、ガイド孔５２の内周面によりリブ５３の回転が規制されるため、プリンタカバー７を回転させることができない。
【００６６】
また、図２に示したように、プリンタカバー７における左右の側縁部６１、および筐体２における開口１２の左右の側縁部６２は、プリンタカバー７のスライド方向に沿って真直に形成されている。これにより、プリンタカバー７のスライド動作中に、プリンタカバー７の側縁部６１と筐体２の側縁部６２とが接触した状態に保持される。このため、スライド動作中のプリンタカバー７のがたつきを抑制することができる。これにより、スライド動作中にプリンタカバー７の回転が規制されることと相まって、プリンタカバー７を円滑にスライド動作させることができる。
【００６７】
次に、回転動作中におけるプリンタカバー７のがたつきを抑制する構造について説明する。
【００６８】
図７に示したように、ガイド孔５２の内周面には、内向きに突出するリブ６５が設けられている。このリブ６５は、ガイド孔５２の深さ方向、すなわち、図６に示したプリンタカバー７の軸部５１の軸方向（ヒンジ軸方向）に延びた状態で設けられている。
【００６９】
図８（Ｂ）に示したプリンタカバー７の半開状態、および図８（Ｃ）に示したプリンタカバーの全開状態では、図９（Ｂ），（Ｃ）に示すように、ガイド孔５２の内周面とリブ６５とにより、プリンタカバー７の軸部５１の移動が軽度に規制される。これにより、プリンタカバー７の回転時におけるプリンタカバー７のがたつきを防止することができ、プリンタカバー７の回転時の操作性を向上させることができる。
【００７０】
また、プリンタカバー７の軸部５１がリブ６５を乗り上げる際に、操作者にクリック感を与えることができる。これにより、プリンタカバー７を全閉状態からスライドさせる際に、プリンタカバー７がスライド方向の終点位置に到達したことを操作者が確認することができる。
【００７１】
次に、全開状態におけるプリンタカバー７のスライド動作を制限する構造について説明する。
【００７２】
図９（Ｃ）に示したように、ガイド孔５２の周縁部５４には、プリンタカバー７の全開状態において、プリンタカバー７のリブ５３が突き当たる規制面６７が形成されている。この規制面６７により、プリンタカバー７のスライド方向に沿ったリブ５３の移動が不能となる。これにより、プリンタカバー７の全開状態におけるプリンタカバー７のスライド動作が規制される。このため、プリンタカバー７の全開状態でプリンタカバー７を操作者が無理にスライドさせることができない。
【００７３】
次に、全閉状態におけるプリンタカバー７のがたつきを抑制する構造について説明する。
【００７４】
図４に示したように、ヒンジ部４１の近傍において、筐体２における開口１２の縁部７１に対して、プリンタカバー７のスライド動作に応じて接触・離反するプリンタカバー７の縁部７２には、内向き突出する爪状部７３が形成されている。この爪状部７３は、内側に筐体２の縁部７１が嵌り込むように略Ｌ字形状の断面をなしている。このため、プリンタカバー７の全閉状態において、プリンタカバー７の縁部７２と筐体２の縁部７１とが凹凸の断面形状で嵌合し、筐体２に対するプリンタカバー７の厚さ方向の動きが規制される。
【００７５】
これにより、プリンタカバー７のスライド動作を円滑に行わせるために、ヒンジ部４１に比較的大きな遊びを持たせた場合でも、全閉状態において筐体２に対するプリンタカバー７の動きが規制され、全閉状態におけるプリンタカバー７のがたつきを抑制することができる。
【００７６】
次に、全閉状態におけるプリンタカバー７の回転を規制するとともに、プラテンローラ３２の回転軸４２に設けられたギア４４を保護する構造について説明する。
【００７７】
図５に示したように、プリンタカバー７におけるプラテンローラ保持部４５の外側には、プラテンローラ３２の両端部を覆うように舌状に突出した突片部８１が左右両側に形成されている。筐体２には、プリンタカバー７の全閉状態においてプリンタカバー７の突片部８１が嵌り込む凹部８２が左右両側に形成されている。突片部８１および凹部８２は、プリンタカバー７のスライド方向に嵌り合うように形成され、図８（Ａ）に示した全閉状態からプリンタカバー７を上方にスライドさせると、突片部８１が凹部８２から離脱し、図８（Ｂ）に示した半開状態からプリンタカバー７を下方にスライドさせると、突片部８１が凹部８２に嵌り合う。
【００７８】
このように突片部８１が凹部８２に嵌り合うことで、全閉状態におけるプリンタカバー７の回転が阻止され、プリンタカバー７を無理に回転操作することができなくなるため、ヒンジ部４１などが破損することを避けることができる。また、図５に示したように、突片部８１により、プラテンローラ３２の回転軸４２に設けられたギア４４が保護され、プリンタカバー７を開閉操作する際に操作者の指がギア４４に当たることでギア４４が破損することを避けることができる。
【００７９】
次に、プラテンローラ３２の保持構造について説明する。図１０は、プラテンローラ３２の保持構造を示す携帯端末装置１の要部断面図である。
【００８０】
プリンタ１５のフレーム３５の上端部には、プラテンローラ３２の軸受け４３を着脱可能に保持するプラテンホルダ９１が設けられている。このプラテンホルダ９１には、プリンタカバー７の全閉状態において、プラテンローラ３２の軸受け４３が嵌り込む凹部９２が形成されている。この凹部９２の近傍には、肉抜き孔９３が形成されており、凹部９２の内周部が撓むようになっている。これにより、プラテンローラ３２の軸受け４３が圧入により凹部９２に嵌り込む。また、凹部９２は上方が開放されており、この凹部９２の開放部の後側には凸部９４が形成されている。
【００８１】
プリンタカバー７の全閉状態（図８（Ａ）参照）では、プラテンホルダ９１の凹部９２がプラテンローラ３２の軸受け４３を比較的大きな圧力で保持するため、プリンタカバー７が全閉状態に強固に保持されるロック状態となる。すなわち、プラテンローラ３２の保持機構が、プリンタカバー７を全閉状態に確実に保持するロック機構となる。
【００８２】
プリンタカバー７の全閉状態からプリンタカバー７を上方にスライドさせると、プラテンローラ３２の軸受け４３がプラテンホルダ９１の凹部９２から離脱して、ロック状態が解除される。逆に、プリンタカバー７の半開状態（図８（Ｂ）参照）からプリンタカバー７を下方にスライドさせると、プラテンローラ３２の軸受け４３がプラテンホルダ９１の凹部９２に嵌り込み、ロック状態となる。
【００８３】
このようなプラテンホルダ９１の凹部９２に対するプラテンローラ３２の軸受け４３の嵌合・離脱の際には、プラテンローラ３２の軸受け４３は、プラテンホルダ９１の凸部９４を乗り越える。プリンタカバー７のプラテンローラ保持部４５は、前後方向に長い保持孔９６により、プラテンローラ３２の回転軸４２を前後方向の移動を許容するように保持しており、プリンタヘッド３１をプラテンローラ３２に押しつける板ばね３３の付勢力に抗して、プラテンローラ３２が僅かに前方に変位する。これにより、プリンタカバー７のスライド動作の際にプラテンローラ３２を円滑に移動させることができる。
【００８４】
なお、図５に示したように、プリンタカバー７では、１対のヒンジ部４１の間の部分を凹ませることで、１対の脚部４７が、略円弧状の断面をなす周壁部４８から延びた状態で形成されている。これにより、図２に示したように、プリンタカバー７の全閉状態において、プリンタカバー７がカメラ８およびスピーカ９と干渉することを避けることができる。
【００８５】
また、プリンタカバー７における１対の脚部４７の間には、平面状の下壁部４９が形成されており、プリンタカバー７を開く際に、下壁部４９を操作者が押圧することで、プリンタカバー７をスライドさせることができる。このとき、図３に示したように、下壁部４９はプリンタカバー７のスライド方向に対して大きな角度をなしているため、大きな押圧力をプリンタカバー７に加えることができる。これにより、プラテンローラ３２がプラテンホルダ９１に強固に保持されたロック状態を容易に解除することができ、プリンタカバー７を開く際の操作性が向上する。
【００８６】
以上、本発明を特定の実施形態に基づいて説明したが、これらの実施形態はあくまでも例示であって、本発明はこれらの実施形態によって限定されるものではない。また、上記実施形態に示した本発明に係るプリンタ付き携帯端末装置の各構成要素は、必ずしも全てが必須ではなく、少なくとも本発明の範囲を逸脱しない限りにおいて適宜取捨選択することが可能である。
【００８７】
例えば、前記の実施形態では、プリンタ付き携帯端末装置を、クレジットカードなどによる決済を行うモバイル決済端末とした例について説明したが、このプリンタ付き携帯端末装置は、決済の用途に限定されるものではなく、電気や水道の使用量を調査する検針や店舗などでの在庫管理などに用いられるハンディターミナルであってもよい。
【００８８】
また、前記の実施形態では、ヒンジ部の構成を、軸部がプリンタカバーに形成され、ガイド孔が筐体に形成されたものとしたが、これとは逆に、軸部が筐体に形成され、ガイド孔がプリンタカバーに形成されたものとしてもよい。
【００８９】
また、前記の実施形態では、図１０に、プラテンホルダによるプラテンローラの保持構造の一例を示したが、この保持構造は、例示した構成に限定されるものではなく、種々の構成が可能である。
【産業上の利用可能性】
【００９０】
本発明に係るプリンタ付き携帯端末装置は、表示パネルの裏側にプリンタおよびロール紙を配置した構成で、筐体の厚みの増大を抑えることができる効果を有し、記録媒体への記録を行うプリンタを備えたプリンタ付き携帯端末装置などとして有用である。
【符号の説明】
【００９１】
１  携帯端末装置
２  筐体
３  表示パネル
４  操作キー
６  記録紙収容部（記録媒体収容部）
７  プリンタカバー
１２  開口
１５  プリンタ
２５  排紙口
３１  プリンタヘッド
３２  プラテンローラ
３４  駆動モータ
４１  ヒンジ部
４２  回転軸
４３  軸受け
４４  ギア
４５  プラテンローラ保持部
５１  軸部
５２  ガイド孔
５３  リブ（回転規制部）
６１  側縁部
６２  側縁部
６５  リブ
６７  規制面
７１  縁部
７２  縁部
７３  爪状部
８１  突片部
８２  凹部
９１  プラテンホルダ
Ｐ  記録紙（記録媒体）
ＲＰ  ロール紙
【図１】
0006281847.tif 000002
【図２】
0006281847.tif 000003
【図３】
0006281847.tif 000004
【図４】
0006281847.tif 000005
【図５】
0006281847.tif 000006
【図６】
0006281847.tif 000007
【図７】
0006281847.tif 000008
【図８】
0006281847.tif 000009
【図９】
0006281847.tif 000010
【図１０】
0006281847.tif 000011